(57)【要約】【課題】流体の付着又は流体の発生位置の検出の利便性を向上することが可能な電子装置を提供する。【解決手段】電子装置は、人物を撮影可能な撮像部（１０２）と、流体を放出する流体放出部（１０８）と、前記人物に対して流体を放出すると判断した場合に、撮像部（１０２）の撮影結果に応じて流体放出部（１０８）を制御する制御部（１１４）と、を備えている。【選択図】図２
2016042217.tif 000002
【特許請求の範囲】
【請求項１】
人物を撮影可能な撮像部と、
流体を放出する流体放出部と、
前記人物に対して前記流体を放出すると判断した場合に、前記撮像部の撮影結果に応じて前記流体放出部を制御する制御部と、を備える電子装置。
【請求項２】
前記制御部は、前記流体放出部を制御して、前記人物の肌に匂いを付着させる請求項１記載の電子装置。
【請求項３】
前記制御部は、前記流体放出部からの流体の放出方向、放出距離、放出タイミング、及び流体の種類の少なくとも１つを制御する請求項１または２記載の電子装置。
【請求項４】
前記制御部は、前記人物を撮影する前記撮像部の設置位置、前記撮像部の撮影方向、及び前記撮像部が有するレンズの焦点距離を用いて前記流体放出部からの流体の放出方向及び放出距離の少なくとも一方を決定する請求項３記載の電子装置。
【請求項５】
前記制御部は、前記撮像部の撮影画像に基づき、前記人物に前記流体を放出するかどうかを判断する請求項１から４のいずれか一項記載の電子装置。
【請求項６】
人物を検出する人物検出部と、
出入りを行う出入口に設置され、流体を放出する流体放出部と、
前記人物検出部の検出結果に基づいて前記流体放出部を制御する制御部と、を備える電子装置。
【請求項７】
前記人物検出部は、所定の匂いを発する人物を検出し、
前記制御部は、前記流体放出部を制御して、前記人物に前記所定の匂いを付着させる請求項６記載の電子装置。
【請求項８】
前記流体放出部は、前記人物が判別できない流体を放出する請求項１から７のいずれか一項記載の電子装置。
【請求項９】
所定の流体の情報を記憶する記憶部と、
流体を検出する流体検出部と、
前記流体検出部で検出された流体が前記所定の流体の場合に、前記所定の流体が検出された位置を表示部に表示する制御部と、を備える電子装置。
【請求項１０】
周辺を撮影する撮像部を備え、
前記制御部は、前記撮像部で撮影された画像に前記所定の流体が検出された位置を重畳させて前記表示部に表示する請求項９記載の電子装置。
【発明の詳細な説明】
【技術分野】
【０００１】
本発明は、電子装置に関する。
【背景技術】
【０００２】
人物の存在をセンサによって検知した場合に、所定空域内に芳香を放出して匂いを付着させるマーキングシステムが知られている（例えば、特許文献１参照）。
【先行技術文献】
【特許文献】
【０００３】
【特許文献１】特開２００５−２８４７６６号公報
【発明の概要】
【発明が解決しようとする課題】
【０００４】
しかしながら、特許文献１のように、所定空域内に匂いを放出する場合、対象人物以外の人物にも匂いが付着することが生じ、また、匂い剤の消費量も多くなってしまう。さらに、特許文献１では、匂いを付着させた人物の捜索を捜索犬で行うことが記載されているが、捜索犬の育成には多大な時間と費用がかかる。このように、特許文献１では、匂いの付着又は匂いの発生位置の検出に関する利便性が十分ではない。
【０００５】
本発明は上記の課題に鑑みなされたものであり、流体の付着又は流体の発生位置の検出の利便性を向上することが可能な電子装置を提供することを目的とする。
【課題を解決するための手段】
【０００６】
本発明の電子装置は、人物を撮影可能な撮像部（１０２）と、流体を放出する流体放出部（１０８）と、前記人物に対して前記流体を放出すると判断した場合に、前記撮像部の撮影結果に応じて前記流体放出部を制御する制御部（１１４）と、を備える。
【０００７】
この場合において、本発明の電子装置では、前記制御部は、前記流体放出部を制御して、前記人物の肌に匂いを付着させてもよい。
【０００８】
また、本発明の電子装置では、前記制御部は、前記流体放出部からの流体の放出方向、放出距離、放出タイミング、及び流体の種類の少なくとも１つを制御してもよい。また、前記制御部は、前記人物を撮影する前記撮像部の設置位置、前記撮像部の撮影方向、及び前記撮像部が有するレンズの焦点距離を用いて前記流体放出部からの流体の放出方向及び放出距離の少なくとも一方を決定してもよい。
【０００９】
また、本発明の電子装置では、前記制御部は、前記撮像部の撮影画像に基づき、前記人物に前記流体を放出するかどうかを判断してもよい。
【００１０】
本発明の電子装置は、人物を検出する人物検出部（１１６など）と、出入りを行う出入口（５０）に設置され、流体を放出する流体放出部（１０８）と、前記人物検出部の検出結果に基づいて前記流体放出部を制御する制御部（１１４）と、を備える。
【００１１】
この場合において、本発明の電子装置では、前記人物検出部は、所定の匂いを発する人物を検出し、前記制御部は、前記流体放出部を制御して、前記人物に前記所定の匂いを付着させてもよい。
【００１２】
また、本発明の電子装置では、前記流体放出部は、前記人物が判別できない流体を放出してもよい。
【００１３】
本発明の電子装置は、所定の流体の情報を記憶する記憶部（２０８）と、流体を検出する流体検出部（２０４）と、前記流体検出部で検出された流体が前記所定の流体の場合に、前記所定の流体が検出された位置を表示部（２１４）に表示する制御部（２１８）と、を備える。
【００１４】
この場合において、本発明の電子装置では、周辺を撮影する撮像部（２０２）を備え、前記制御部は、前記撮像部で撮影された画像に前記所定の流体が検出された位置を重畳させて前記表示部に表示してもよい。
【００１５】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１６】
本発明の電子装置は、流体の付着又は流体の発生位置の検出の利便性を向上させることができるという効果を奏する。
【図面の簡単な説明】
【００１７】
【図１】第１の実施形態に係る追跡システムの構成を示すブロック図である。
【図２】匂い付着装置の構成を示すブロック図である。
【図３】人物ＤＢのデータ構造の一例を示す図である。
【図４】図４（ａ）及び図４（ｂ）は、撮像部及び匂い放出部の配置例を示す図である。
【図５】匂い検出装置の構成を示すブロック図である。
【図６】匂いＤＢのデータ構造の一例を示す図である。
【図７】測定機器の配置例を示す図である。
【図８】匂い付着装置の制御部が実行する処理の一例を示すフローチャートである。
【図９】図９（ａ）及び図９（ｂ）は、匂い検出装置において、匂いが付着された対象人物の名前及び匂いの種類を記憶部に記憶する処理の一例を示すフローチャートである。
【図１０】図１０（ａ）及び図１０（ｂ）は、匂い検出装置において、匂いが検出された位置を表示部に表示する処理の一例を示すフローチャートである。
【図１１】図１１（ａ）及び図１１（ｂ）は、表示部に表示される画像の例を示す図である。
【図１２】匂い付着装置の構成を示すブロック図である。
【図１３】図１３（ａ）及び図１３（ｂ）は、撮像部、匂い放出部、及び匂い検出部の配置例を示す図である。
【図１４】匂い付着装置の制御部が実行する処理の一例を示すフローチャートである。
【図１５】図１５（ａ）及び図１５（ｂ）は、匂い検出装置が組み込まれた携帯端末の例を示す図である。
【図１６】表示部に表示される画像の例を示す図である。
【発明を実施するための形態】
【００１８】
《第１の実施形態》
以下、第１の実施形態に係る匂い追跡システムについて、図１〜図１１（ｂ）に基づいて詳細に説明する。図１には、第１の実施形態に係る匂い追跡システム５００の構成が示されている。匂い追跡システム５００は、図１に示すように、複数の匂い付着装置１０と、撮影と匂い検出とを行う複数の測定機器２２と、サーバ２４と、を備える。匂い付着装置１０、測定機器２２、及びサーバ２４は、インターネットなどのネットワーク３０を介して接続されている。複数の匂い付着装置１０は、例えばコンビニエンスストア、銀行などの有人店舗やＡＴＭ（Automated Teller Machine）無人店舗など、犯罪が発生する可能性が高い場所にそれぞれ設置されている。複数の測定機器２２は、例えば街頭にそれぞれ設置されている。サーバ２４は、例えば警察署などに設置されたコンピュータである。本実施形態においては、複数の測定機器２２とサーバ２４とを含んで、匂い検出装置２０が構成される。
【００１９】
（匂い付着装置１０）
図２には、匂い付着装置１０の構成が示されている。匂い付着装置１０は、図２に示すように、撮像部１０２、匂い放出部１０８、表示部１０４、操作部１０６、通信部１１０、記憶部１１２、及び制御部１１４を備える。なお、撮像部１０２及び匂い放出部１０８は、コンビニエンスストアなどの店舗内（客が買い物をするために移動する範囲内）に設けられ、それ以外（表示部１０４、操作部１０６、通信部１１０、記憶部１１２、及び制御部１１４）は、例えば店舗スタッフの部屋などに配置される。制御部１１４と撮像部１０２及び匂い放出部１０８との間は無線又は有線で通信できるようになっている。ただし、これに限らず、通信部１１０、記憶部１１２及び制御部１１４が、撮像部１０２及び匂い放出部１０８の少なくとも一方と一体となっていてもよい。
【００２０】
撮像部１０２は、レンズ、撮像素子、Ａ／Ｄ（Analog/Digital）変換部、及び画像処理部などを備えたカメラ（例えば監視カメラ）であり、周辺の様子を撮影する。レンズは、被写体像を撮像素子の撮像面に結像させる。撮像素子は、受光素子が撮像面に二次元配列されたＣＭＯＳ（Complementary Metal Oxide Semiconductor）イメージセンサなどを備え、アナログ画像信号を生成する。Ａ/Ｄ変換部は、撮像素子が生成したアナログ画像信号をデジタル画像信号に変換する。画像処理部は、Ａ／Ｄ変換部から入力されたデジタル画像信号に対して、各種の画像処理（色補間処理、階調変換処理、ホワイトバランス処理、画像圧縮処理、画像伸張処理など）を行う。
【００２１】
匂い放出部１０８は、制御部１１４の指示の下、匂いを放出する。匂い放出部１０８は、ある狭い範囲に向けて匂いを噴射する機能を有する。また、匂い放出部１０８は、例えば複数種の匂いの発生源（複数種の匂い剤）を備え、複数種の匂いの中から制御部１１４によって選択された１又は複数種類の匂いを放出する。ここで、匂い放出部１０８が対象人物に放出する匂いは、人が判別できる匂いであってもよいが、対象人物が判別できない匂いのほうが好ましい。具体的には、先行技術文献として記載した特開２００５−２８４７６６号公報に開示してあるグリセリン脂肪酸エステル系のラウリン酸エステル、オイレン酸エステル、ステアリン酸エステルを用いてもよいが、これに限定されるものではない。本実施形態において、匂い放出部１０８は液体を放出するものとするが、流体であれば気体であってもよい。また、匂い放出部１０８にヒーターを設けて、常温では液体の物質を加熱により気化させて匂い放出部１０８から放出するようにしてもよい。対象人物が判別できない匂いの場合、匂いを付着させたことを対象人物に気付かせないようにすることができる。なお、撮像部１０２及び匂い放出部１０８の店舗内における配置位置等については後述する。
【００２２】
表示部１０４は、例えば液晶ディスプレイであり、撮像部１０２によって撮影された画像（例えばスルー画像）を表示する。また、表示部１０４は、記憶部１１２に記憶されている画像などを表示してもよい。
【００２３】
操作部１０６は、例えばタッチパネルやキーボード、マウスなどを備える。タッチパネルは、例えば表示部１０４上に設けられ、表示部１０４の表面に対するユーザの接触動作を検出して、種々の情報入力を受け付ける。また、キーボード及びマウスも、ユーザからの種々の情報入力を受け付ける。
【００２４】
通信部１１０は、ネットワーク３０を介して、匂い検出装置２０のサーバ２４と通信する。
【００２５】
記憶部１１２は、例えば匂い付着装置１０に内蔵された不揮発性の半導体メモリやハードディスクであるものとする。記憶部１１２は、例えば犯罪者などの人物の情報や、撮像部１０２において撮影された画像のデータを記憶する。記憶部１１２が記憶する人物の情報は、例えばサーバ２４からネットワーク３０を介して送信された情報であるものとする。なお、記憶部１１２は、匂い付着装置１０に着脱可能なＳＤカードなどの記憶媒体に対してデータを書き込む装置であってもよい。ここで、図３に基づいて、記憶部１１２に記憶される犯罪者などの人物の情報（人物ＤＢ４０）の一例について説明する。
【００２６】
図３には、人物ＤＢ４０のデータ構造の一例が示されている。図３に示すように、人物ＤＢ４０は、ＩＤ、人物名、顔、特徴の各フィールドを有している。ＩＤのフィールドには、人物の識別番号が格納される。人物名のフィールドには、犯罪者などの人物の氏名が格納される。顔のフィールドには、人物の顔を撮影した画像データが格納される。特徴のフィールドには、人物の特徴（例えば頬に傷有り、黒いジャンパーを着用など）が格納される。
【００２７】
制御部１１４は、ＣＰＵ（Central Processing Unit）などを備え、プログラムを実行することにより、匂い付着装置１０全体を制御する。制御部１１４が実行する処理の詳細については後述する。
【００２８】
次に、撮像部１０２及び匂い放出部１０８の配置例を、図４（ａ）及び図４（ｂ）を用いて説明する。図４（ａ）は、コンビニエンスストアなどの店舗を模式的に示す俯瞰図であり、図４（ｂ）は、店舗の出入口５０付近を店内側から見た状態を示す模式図である。
【００２９】
撮像部１０２は、一例として、図４（ａ）に示すように、店舗内の天井の４隅部と出入口５０付近の天井部との５箇所に配置されている。ただし、これに限らず、店舗の広さや形状に合わせて、撮像部１０２の配置位置や個数は適宜変更可能である。なお、撮像部１０２によって撮影された画像は、制御部１１４において実行される、匂いを付着させる対象人物か否かを判断する処理、及び匂いを付着させる位置を特定する処理、において利用されるが、すべての撮像部１０２の画像を両処理において利用しなくてもよい。例えば、出入口５０付近に配置された撮像部１０２は、店内から出て行く人物を拡大して撮影することが容易であるため、この撮像部１０２により撮影された画像は、匂い付着位置を特定する場合に利用することとしてもよい。また、店内に複数の撮像部１０２を配置することで、一部の撮像部１０２で店内の一部を拡大撮影し、他の撮像部１０２で店内全体を撮影することもできるため、画像の撮影倍率等に基づいて、いずれの処理において利用するかを決定することとしてもよい。
【００３０】
匂い放出部１０８は、図４（ｂ）に示すように、店舗の内側の出入口５０の両側に設けられた柱５２に設置されている。店舗内の人物は出入口５０を通って店舗外に出ることから、出入口５０近傍に匂い放出部１０８を配置することで、店舗内にいた人物に対して確実に匂いを付着させることができる。匂い放出部１０８は、出入口５０の片側にのみ配置されていてもよいが、匂いを付着させる箇所の自由度を向上させるため、図４（ｂ）に示すように、出入口５０の両側に配置してもよい。この場合、図４（ｂ）に示すように、一方の匂い放出部１０８と他方の匂い放出部１０８との高さを異ならせることで、より柔軟に匂いを付着させる箇所を変更することができる。なお、匂い放出部１０８は、柱５２における設置位置（高さ位置）を調整可能としてもよい。また、匂い放出部１０８は、柱５２に設置する場合に限らず、匂い放出部１０８の性能（放射距離、放射精度など）等に応じて、他の位置（例えば、出入口５０付近の天井部など）に配置してもよい。
【００３１】
なお、撮像部１０２及び匂い放出部１０８の配置場所及び個数は、図４（ａ）及び図４（ｂ）の場合に限らず、その他の場合でもよい。例えば、出入口５０付近の撮像部１０２は、図４（ｂ）に示す匂い放出部１０８に対応して（例えば同一筐体内に一体となって）、出入口５０の柱５２に配置してもよい。この場合、撮像部１０２の撮影方向が匂い放出部１０８の放出方向と略同一となるようにしてもよい。このように撮影方向と放出方向とを略同一にすることで、匂いを付着させる位置が撮像部１０２の画角内の中心となるように撮像部１０２を制御することで、匂いの放出の照準が合わせ易くなる。
【００３２】
（匂い検出装置２０）
図５は、匂い検出装置２０の構成を概略的に示すブロック図である。なお、匂い検出装置２０は、前述のように、複数の測定機器２２と、１つのサーバ２４とを備えるが、図５では、図の明瞭化のため測定機器２２を１つのみ図示している。
【００３３】
測定機器２２は、図５に示すように、撮像部２０２、匂い検出部２０４、通信部２０６、記憶部２０８、及び制御部２１０を備え、例えば街頭などに設置されている。
【００３４】
撮像部２０２は、匂い付着装置１０の撮像部１０２と同様に、レンズ、撮像素子、Ａ／Ｄ変換部、及び画像処理部などを備えたカメラ（例えば監視カメラ）であり、周辺の様子を撮影する。レンズ、撮像素子、Ａ／Ｄ変換部、及び画像処理部の機能は、撮像部１０２と同様であるので、説明を省略するものとする。
【００３５】
匂い検出部２０４は、匂いセンサであり、例えば金属酸化物半導体やカーボンナノチューブを用いたガスセンサなどにより周辺の匂いを検出する。匂い検出部２０４は、例えば匂いの種類及び強さを検出するものであり、匂い付着装置１０が放出する匂いに対応する感度（例えばエステル系の匂いを検出する感度）を持たせるようにすればよい。工業用の嗅覚センサでは匂いにあわせて１０個程度のセンサ素子を使用しているが、上述のように匂い付着装置１０が放出する匂いに特化したセンサ素子を用いることにより匂い検出部２０４を簡素化することができる。
【００３６】
通信部２０６は、ネットワーク３０を介して、サーバ２４の通信部２１２と通信する。
【００３７】
記憶部２０８は、例えば測定機器２２に内蔵された不揮発性の半導体メモリやハードディスクなどである。ただし、記憶部２０８は、ＳＤカードなどの記憶媒体に対してデータを書き込む装置であってもよい。記憶部２０８には、例えば匂い付着装置１０が犯罪者などの人物に付着させた匂いの情報がデータとして記憶されている。記憶部２０８に記憶される匂いの情報は、匂い付着装置１０からネットワーク３０を介して送信されたデータである。また、記憶部２０８には、撮像部２０２から出力された画像データを記憶してもよい。ここで、図６に基づいて、記憶部２０８に記憶される匂いの情報（匂いＤＢ４２）の一例について説明する。
【００３８】
図６には、匂いＤＢ４２のデータ構造の一例が示されている。図６に示すように、匂いＤＢ４２は、ＩＤ、人物名、匂いの種類の各フィールドを有している。ＩＤのフィールドには、匂いが付着している人物の識別番号が格納される。人物名のフィールドには、匂いが付着している人物の氏名が格納される。なお、匂いが付着している人物の氏名が不明な場合、人物名のフィールドはブランクとなる。匂いの種類のフィールドには、人物に付着している匂いの種類が格納される。
【００３９】
制御部２１０は、ＣＰＵなどを備え、測定機器２２全体を制御する。制御部２１０が実行する処理の詳細については後述する。
【００４０】
ここで、測定機器２２の配置例について、図７に基づいて説明する。図７に示すように、測定機器２２は、例えば道路６０の両側に設置された柱６２の上端部に設けられている。これにより、道路６０を通行する人物の匂いを測定機器２２の匂い検出部２０４で検出することができる。また、道路６０を通行する人物及び周辺の画像を測定機器２２の撮像部２０２で撮影することができる。測定機器２２は、道路６０に沿って一定の間隔で配置されている。撮像部２０２と匂い検出部２０４の両方を、柱６２の上側（即ち、通行人の上方）に配置してもよいが、例えば、匂い検出部２０４による匂いの検出を良好にするために、撮像部２０２を柱６２の上側に配置し、匂い検出部２０４を柱６２の下側に配置するようにしてもよい。
【００４１】
図５に戻り、サーバ２４は、通信部２１２、表示部２１４、操作部２１６、及び制御部２１８を備え、例えば警察署などに設置されている。
【００４２】
通信部２１２は、ネットワーク３０を介して、測定機器２２の通信部２０６及び匂い付着装置１０と通信する。
【００４３】
表示部２１４は、例えば液晶ディスプレイであり、匂い検出部２０４によって検出された匂いの発生位置を示す画像を表示する。表示部２１４は、例えば撮像部２０２によって撮影された画像に匂いの発生位置が重畳された画像を表示する。
【００４４】
操作部２１６は、例えばタッチパネルやキーボード、マウスなどを備える。タッチパネルは、例えば表示部２１４上に設けられ、表示部２１４の表面に対するユーザの接触動作を検出して、種々の情報入力を受け付ける。また、キーボード及びマウスも、ユーザからの種々の情報入力を受け付ける。
【００４５】
制御部２１８は、ＣＰＵなどを備え、サーバ２４全体を制御する。制御部２１８が実行する処理の詳細については後述する。
【００４６】
次に、追跡システム５００において実行される、匂い付着装置１０と匂い検出装置２０の処理について説明する。図８は、匂い付着装置１０の制御部１１４が実行する処理の一例を示すフローチャートである。図８の処理では、まず、ステップＳ１０において、制御部１１４は、撮像部１０２によって撮影された撮影画像の中から人物を抽出する。この際、撮像部１０２は、店内の人物の全身が写るような画角で撮影することが好ましい。また、複数の撮像部１０２のうちの一部の撮像部１０２は、店内の人物の全身を撮影し、他の撮像部１０２では、人物の上半身などの特定部位を撮影するようにしてもよい。
【００４７】
ステップＳ１０の後は、ステップＳ１２に移行し、制御部１１４は、抽出した人物が、犯罪者又は不審者などの匂いを付着させる対象人物であるか否かを判断する。対象人物であるか否かの判断は、例えば抽出した人物が図３に示す人物ＤＢ４０上の人物と一致するか否かを判断し、一致すれば対象人物、一致しなければ対象人物ではないと判断することができる。抽出した人物と人物ＤＢ４０上の人物との一致又は不一致は、例えば人物ＤＢ４０に記憶されている顔画像を用いた顔認識結果や、人物ＤＢ４０に記憶されている特徴の有無に基づいて行うことができる。また、制御部１１４は、対象人物であるか否かの判断を、例えば撮像部１０２で撮影された画像に基づいて行動分析を行い、不審な行動を検出した場合、不審者として対象人物であると判断してもよい。さらに、制御部１１４は、表示部１０４に表示された撮像部１０２の撮影画像（例えばスルー画像）を見ている店舗スタッフなどが操作部１０６をタッチ操作するなどして特定した人物を対象人物であると判断してもよい。匂い付着の対象人物でない場合、ステップＳ１２の判断は否定され、制御部１１４はステップＳ１０に戻る。
【００４８】
一方、匂い付着の対象人物であると判断した場合（ステップＳ１２／Ｙｅｓ）、制御部１１４は、ステップＳ１４に移行する。
【００４９】
ステップＳ１４に移行すると、制御部１１４は、撮像部１０２によって対象人物が撮影された画像から、対象人物に対する匂いの付着位置を特定する。例えば、対象人物の撮影画像から肌が露出している部分を特定し、この露出している肌部分を匂い付着位置と特定する。なお、肌部分は、撮影画像の色情報を用いて特定することができるが、赤外線カメラを用いた熱の検知を併用して肌部分を特定するようにしてもよい。このように、匂い付着位置を肌部分とするのは、匂いを対象人物の衣服に放出すると、対象人物が衣服を交換することで匂いが消えてしまうからである。なお、匂い付着位置として対象人物の靴を特定してもよい。対象人物が店外に出て街中を歩く場合において、靴を脱ぐことや履き替えることは考え難いため、匂いが消えてしまうことを抑制できるためである。
【００５０】
ステップＳ１４の後は、ステップＳ１６に移行し、制御部１１４は、撮像部１０２によって撮影される画像を用いて匂い放出位置を追跡しながら、対象人物が匂い放出部１０８の射程範囲内に入るまで待機する。対象人物が射程範囲内に入ったか否かは、対象人物の撮影画像に基づいて判断することができる。なお、射程範囲は、匂い放出部１０８の設置位置、匂いの放出距離、ノズル式であればノズルの可動範囲などに基づいて定まるものであり、記憶部１１２に格納されている。制御部１１４は、対象人物が射程範囲内に入ったと判断した場合、ステップＳ１８に移行する。
【００５１】
ステップＳ１８に移行すると、制御部１１４は、匂い放出部１０８からの匂いの放出方向、放出距離、放出タイミング、及び匂いの種類の少なくとも１つを制御して、ステップＳ１４で特定した対象人物の匂い付着位置に向かって匂いを放出する。これにより、対象人物の特定位置（肌など）に匂いを付着させることができる。なお、制御部１１４は、対象人物の背後側に匂い放出部１０８から匂いを放出させてもよい。このように、対象人物の背後側に匂いを放出することで、匂い放出部１０８が放出する流体が液体であっても、匂いを放出したことを対象人物に気づかせないようにすることができる。また、制御部１１４は、匂い放出部１０８からの匂いの放出方向及び放出距離を、対象人物を撮影する撮像部１０２（例えば出入口５０付近の撮像部１０２）の設置位置、撮影方向、及び撮像部１０２のレンズの焦点距離を用いて決定することができる。また、制御部１１４は、匂い放出部１０８が有する複数種の匂いの中から１種類の匂いを選択し、選択した匂いを匂い放出部１０８から放出させてもよい。
【００５２】
ステップＳ１８の後は、ステップＳ２０に移行し、制御部１１４は、匂いを付着させた対象人物の名前と付着させた匂いの種類とを匂い検出装置２０のサーバ２４に送信する。なお、不審な行動を行う不審者に匂いを付着させた場合、その人物の名前が分からない場合がある。この場合、人物名は不明であるとしてサーバ２４に送信する。
【００５３】
次に、匂い検出装置２０が実行する処理について説明する。まず、匂いが付着された対象人物の名前及び匂いの種類を記憶部２０８に記憶する処理について、図９（ａ）及び図９（ｂ）のフローチャートに沿って説明する。図９（ａ）の処理は、サーバ２４の制御部２１８により実行される処理であり、図９（ｂ）の処理は、測定機器２２の制御部２１０により実行される処理である。
【００５４】
図９（ａ）の処理では、まず、ステップＳ３０において、サーバ２４の制御部２１８は、匂い付着装置１０から送信される匂いを付着させた対象人物の名前と匂いの種類との情報を受信するまで待機する。制御部２１８は、対象人物の名前と匂いの種類との情報を受信した場合、ステップＳ３２に移行する。ステップＳ３２に移行すると、制御部２１８は、受信した対象人物の名前と匂いの種類との情報を、複数の測定機器２２それぞれに送信する。
【００５５】
図９（ｂ）の処理では、まず、ステップＳ４０において、測定機器２２の制御部２１０は、サーバ２４から送信される匂いが付着された対象人物の名前と匂いの種類との情報を受信するまで待機する。制御部２１０は、対象人物の名前と匂いの種類との情報を受信した場合、ステップＳ４２に移行する。ステップＳ４２に移行すると、制御部２１０は、受信した対象人物の名前と匂いの種類との情報を記憶部２０８（匂いＤＢ４２（図６））に記憶する。
【００５６】
次に、匂いが検出された位置を表示部２１４に表示する処理について、図１０（ａ）及び図１０（ｂ）のフローチャートに沿って説明する。図１０（ａ）の処理は、測定機器２２の制御部２１０により実行される処理であり、図１０（ｂ）は、サーバ２４の制御部２１８により実行される処理である。なお、「流体の発生位置の検出」または「流体の検出」とは、流体が液体である場合には、液体が気化した気体を検出するという意味で用いられる。例えば、匂いを有する液体が対象人物に付着されている場合、液体から発生する匂いを検出することである。
【００５７】
図１０（ａ）の処理では、まず、ステップＳ５０において、測定機器２２の制御部２１０は、匂い検出部２０４を用いて、匂い検出部２０４の周辺で発生する匂いを検出する。ステップＳ５０の後は、ステップＳ５２に移行し、制御部２１０は、検出した匂いが記憶部２０８に記憶された匂いと同じか否かを判断する。記憶部２０８に記憶された匂いとは異なると判断した場合、ステップＳ５２の判断は否定され、ステップＳ５０に戻る。
【００５８】
一方、制御部２１０は、記憶部２０８に記憶された匂いと同じであると判断した場合（ステップＳ５２／Ｙｅｓ）、ステップＳ５４に移行する。ステップＳ５４に移行すると、制御部２１０は、検出した匂い（記憶部２０８に記憶された匂い）の強さを特定する。
【００５９】
ステップＳ５４の後は、ステップＳ５６に移行し、制御部２１０は、検出した匂い（記憶部２０８に記憶された匂い）の強さと撮像部２０２によって撮影された画像との情報をサーバ２４に送信する。なお、制御部２１０は、記憶部２０８に記憶された匂いを検出した場合、撮像部２０２による撮影を高解像度に変更して、高解像度の撮影画像の情報をサーバ２４に送信してもよい。
【００６０】
図１０（ｂ）の処理では、まず、ステップＳ６０において、サーバ２４の制御部２１８は、測定機器２２から送信される匂いの強さと撮影画像との情報を受信するまで待機する。制御部２１８は、匂いの強さと撮影画像との情報を受信した場合、ステップＳ６２に移行する。ステップＳ６２に移行すると、制御部２１８は、受信した匂いの強さに基づいて、撮影画像上の匂い発生位置を特定する。例えば、制御部２１８は、複数の測定機器２２から送信された匂いの強さから匂いの発生位置を算出して、撮影画像上の匂い発生位置を特定する。
【００６１】
ステップＳ６２の後は、ステップＳ６４に移行し、制御部２１８は、撮影画像に匂い発生位置を重畳させた画像を生成する。ステップＳ６４の後は、ステップＳ６６に移行し、制御部２１８は、生成した重畳画像を表示部２１４に表示する。
【００６２】
ステップＳ６４、Ｓ６６において生成され、表示される画像は、例えば、図１１（ａ）に示すように、匂い発生位置を示す枠（例えば匂い発生位置にいる人物を囲む枠）を撮影画像に重畳させたり、匂い発生位置が移動する方向を示す矢印を重畳させたりする。これらの重畳画像は、動画であってもよいし、静止画であってもよい。
【００６３】
また、制御部２１８は、匂い発生位置を撮影画像に重畳させて表示させる場合に限らず、図１１（ｂ）に示すように、測定機器２２を設置した位置を示した地図上で、匂いを検出した測定機器２２を明示（例えば黒丸で表示）して表示してもよい。その際に、匂い発生位置の移動軌跡を表示してもよいし、移動方向や移動速度を計算によって予想して表示してもよい。
【００６４】
なお、匂い検出部２０４は、匂いの強さだけではなく、匂いの方向及び匂いの発生源までの距離を検出できる機能を有していてもよい。この場合、記憶部２０８（匂いＤＢ４２）に記憶された匂いを検出した測定機器２２から、匂いの方向及び匂いの発生源までの距離と撮影画像との情報がサーバ２４に送信され、情報を受信したサーバ２４の制御部２１８が撮影画像に匂い発生位置を重畳させた画像を生成して表示部２１４に表示してもよい。
【００６５】
以上詳細に説明したように、本第１の実施形態によれば、匂い付着装置１０の制御部１１４は、匂いを付着させる対象人物に対して匂いを放出すると判断した場合（Ｓ１２：肯定）、撮像部１０２の撮影結果に応じて匂い放出部１０８を制御して、対象人物に匂いを付着させる（Ｓ１４〜Ｓ１８）。これにより、対象人物に的を絞って匂いを放出させることができるため、匂いが付着した対象人物の検出等を高精度に行うことが可能となる。また、対象人物以外の人物への匂いの付着を抑制でき、匂い剤の消費量の増大を抑えることができる。このように、本第１の実施形態では、匂い付着の利便性を向上させることができる。
【００６６】
また、本第１の実施形態では、制御部１１４は、撮像部１０２が撮影した画像から対象人物の肌が露出している部分を特定し、匂い放出部１０８を制御して対象人物の肌に匂いを付着させる。これにより、対象人物の衣服に匂いを付着させる場合と異なり、対象人物が衣服を交換するなどの簡単な行為で匂いを取り除けないようにすることができる。
【００６７】
また、本第１の実施形態では、制御部１１４は、匂い放出部１０８からの匂いの放出方向、放出距離、放出タイミングの少なくとも１つを制御して、対象人物に匂いを付着させるので、対象人物以外の人物への匂いの付着を抑制することができる。また、制御部１１４は、匂いの種類を制御するので、複数の対象人物がいる場合であっても対象人物を特定することを可能とさせる。なお、制御部１１４は、匂いの種類を制御する場合、対象人物及び／又は気候条件などに適した匂い（例えば対象人物が女性の場合には化粧の匂いによって打ち消されない匂い、雨の日には湿気に強い匂いなど）を選択してもよい。
【００６８】
また、本第１の実施形態では、制御部１１４は、匂いを付着させる対象人物を撮影する撮像部１０２の設置位置、撮影方向、及び撮像部２０２のレンズの焦点距離を用いて、匂い放出部１０８からの匂いの放出方向及び放出距離の少なくとも一方を決定するので、距離センサ等を用いなくても、対象人物の適切な位置に匂いを付着させることができる。
【００６９】
また、本第１の実施形態では、制御部１１４は、撮像部１０２の撮影画像に基づき、匂いを放出させる対象人物か否かを判断する（図８のＳ１０、Ｓ１２）ので、顔認識などによる犯罪者の検出や不審な行動をとる不審者の検出を精度よく行うことができる。
【００７０】
また、本第１の実施形態では、匂い検出装置２０の制御部２１８は、匂い検出部２０４で検出された匂いが記憶部２０８に記憶された所定の匂いの場合に、所定の匂いが検出された位置を表示部２１４に表示する。これにより、捜索犬を用いることなく匂いの検出を行い、検出された位置を表示部２１４に表示するため、匂いの発生位置の検出の利便性を向上させることができる。すなわち、本実施形態の匂い検出装置を用いることで、捜索犬の育成や訓練に必要な労力やコストを軽減することができる。
【００７１】
また、本第１の実施形態では、匂い検出装置２０は、周辺を撮影する撮像部２０２を備え、制御部２１８は、撮像部２０２で撮影された画像に、記憶部２０８に記憶された所定の匂いが検出された位置を重畳させて、表示部２１４に表示する。これにより、匂いを発する人物がどのような人物であるか、匂いの発生位置の周辺はどのような環境であるかなどの情報を警察等に提供することができる。また、周辺を撮影する撮像部２０２を備えることで、匂いと画像とを併用した犯罪者などの追跡が可能となる。例えば風の強い日などの匂いによる追跡が困難な場合には画像を用いて追跡し、夜間などの画像による追跡が困難な場合には匂いを用いて追跡するなどすればよい。
【００７２】
なお、上記第１の実施形態では、匂い付着装置１０から送信された匂いを付着させた人物の名前及び匂いの種類は、サーバ２４を介して、複数の測定機器２２に送信される場合を例に示したが、匂い付着装置１０から複数の測定機器２２に直接送信される場合でもよい。
【００７３】
《第２の実施形態》
次に、第２の実施形態に係る匂い追跡システムについて、図１２〜図１４に基づいて詳細に説明する。第２の実施形態に係る匂い追跡システムは、第１の実施形態の追跡システムを示す図１と同様に、複数の匂い付着装置１０Ａと、複数の測定機器２２とサーバ２４とを備える匂い検出装置２０とが、ネットワーク３０によって接続されている。なお、匂い検出装置２０の構成は、第１の実施形態において図５で説明した構成と同様であり、匂い検出装置２０に含まれる測定機器２２の配置例は、第１の実施形態において図７で説明した配置例と同様であるため説明を省略し、匂い付着装置１０Ａの構成及び匂い付着装置１０Ａに含まれる撮像部１０２などの配置例を以下に説明する。
【００７４】
図１２には、匂い付着装置１０Ａの構成が示されている。匂い付着装置１０Ａは、図１２に示すように、第１の実施形態の構成（図２参照）に加えて、匂い検出部１１６を備える。
【００７５】
匂い検出部１１６は、匂いセンサであり、周辺の匂いを検出する。匂い検出部１１６は、例えば匂いの種類及び強さを検出する。
【００７６】
記憶部１１２は、図３に示すような人物ＤＢ４０に加えて、図６に示すような匂いＤＢ４２を記憶する。匂いＤＢ４２は、複数の匂い付着装置１０Ａの記憶部１１２に、例えば以下の方法によって記憶される。すなわち、複数の匂い付着装置１０Ａのうち、対象人物に匂いを付着させた匂い付着装置１０Ａは、匂いを付着させた対象人物の名前と匂いの種類との情報を自らの記憶部１１２に記憶することで匂いＤＢ４２を記憶する。他の匂い付着装置１０Ａは、匂いを付着させた匂い付着装置１０Ａからネットワーク３０を介して送信されてきた対象人物の名前と匂いの種類の情報を記憶部１１２に記憶することで匂いＤＢ４２を記憶する。例えば、第１の実施形態の図８のステップＳ２０における対象人物の名前と匂いの種類との情報の送信を、サーバ２４だけでなく、他の匂い付着装置１０Ａにも送信することで、他の匂い付着装置１０Ａは記憶部１１２に匂いＤＢ４２を記憶することができる。
【００７７】
次に、匂い付着装置１０Ａの撮像部１０２、匂い放出部１０８、及び匂い検出部１１６の配置例を、図１３（ａ）及び図１３（ｂ）を用いて説明する。なお、第１の実施形態と同様に、匂い付着装置１０Ａがコンビニエンスストアなどの店舗に設置された場合を例に説明する。図１３（ａ）は、コンビニエンスストアなどの店舗を模式的に示す俯瞰図であり、図１３（ｂ）は、店舗の出入口５０付近を店内側から見た状態を示す模式図である。
【００７８】
図１３（ａ）に示すように、撮像部１０２と匂い検出部１１６とは、店内の４隅の天井部に配置されている。また、撮像部１０２は、出入口５０付近の天井部にも更に配置されている。匂い検出部１１６を店内の４隅に配置して、それぞれの匂い検出部１１６で検出可能な匂いの範囲を重ならせることで、検出した匂いの強さから、その匂いが発生する位置を特定することができる。なお、店舗面積が広い又は狭いような場合には、匂い検出部１１６の個数及び配置位置を適宜変更しても勿論よい。
【００７９】
図１３（ｂ）に示すように、匂い放出部１０８は、第１の実施形態の図４（ｂ）と同じく、店内側であって、出入口５０の両側に設けられた柱５２に配置されている。
【００８０】
次に、第２の実施形態の追跡システムにおいて実行される、匂い付着装置１０Ａと匂い検出装置２０の処理について説明する。なお、匂い検出装置２０は、第１の実施形態の図９（ａ）から図１０（ｂ）で説明した処理と同様の処理を行うため説明を省略し、匂い付着装置１０Ａで実行される処理を以下に説明する。匂い付着装置１０Ａは、第１の実施形態の図８で説明した処理に加えて、図１４の処理を実行する。図１４は、匂い付着装置１０Ａの制御部１１４が実行する処理の一例を示すフローチャートである。
【００８１】
図１４の処理では、まず、ステップＳ７０において、制御部１１４は、複数の匂い検出部１１６を用いて、匂い検出部１１６の周辺で発生する匂いを検出する。ステップＳ７０の後は、ステップＳ７２に移行し、制御部１１４は、検出した匂いが記憶部１１２に記憶された匂いと同じか否かを判断する。記憶部１１２に記憶された匂いとは異なると判断した場合、ステップＳ７２の判断は否定され、ステップＳ７０に戻る。
【００８２】
一方、制御部１１４は、記憶部１１２に記憶された匂いと同じであると判断した場合（ステップＳ７２／Ｙｅｓ）、ステップＳ７４に移行する。ステップＳ７４に移行すると、制御部１１４は、複数の匂い検出部１１６それぞれで検出された匂い（記憶部１１２に記憶された匂い）の強さから匂いの発生位置を特定する。
【００８３】
ステップＳ７４の後は、ステップＳ７６に移行し、制御部１１４は、撮像部１０２で撮影された画像上で匂いの発生位置にいる人物を、匂いを付着させる対象人物として特定する。
【００８４】
ステップＳ７６の後は、ステップＳ７８に移行し、制御部１１４は、撮像部１０２によって対象人物が撮影された画像から、対象人物に対する匂いの付着位置（肌など）を特定する。
【００８５】
ステップＳ７８の後は、ステップＳ８０に移行し、制御部１１４は、撮像部１０２によって撮影される画像を用いて匂い付着位置を追跡しながら、対象人物が匂い放出部１０８の射程範囲内に入るまで待機する。制御部１１４は、対象人物が射程範囲内に入ったと判断した場合、ステップＳ８２に移行する。
【００８６】
ステップＳ８２に移行すると、制御部１１４は、例えば出入口５０付近に配置された撮像部１０２による撮影に基づいて、匂い放出部１０８からの匂いの放出方向、放出距離、放出タイミング、及び匂いの種類の少なくとも１つを制御して、ステップＳ７８で特定した対象人物の匂い付着位置に向かって、ステップＳ７２で同じと判断した匂いと同じ匂いを放出する。
【００８７】
以上詳細に説明したように、本第２の実施形態によれば、匂い付着装置１０Ａの制御部１１４は、匂いを付着させる対象人物を検出し（Ｓ７２〜Ｓ７６）、その検出結果に基づいて、出入口５０に配置した匂い放出部１０８を制御して、対象人物に匂いを付着させる（Ｓ８２）。これにより、上記第１の実施形態と同様、対象人物に的を絞って匂いを放出させることができるため、匂いが付着した対象人物の検出等を高精度に行うことが可能となる。また、対象人物以外の人物への匂いの付着を抑制でき、匂い剤の消費量の増大を抑えることができる。このように、本第２の実施形態では、匂い付着の利便性を向上させることができる。また、本第２の実施形態では、制御部１１４は、匂い放出部１０８を制御して、記憶部１１２に記憶された所定の匂いを発する対象人物に対して、その所定の匂い（同一の匂い）を付着させる。これにより、対象人物に付着させた匂いが時間の経過に従って薄まったとしても、同一の匂いを対象人物に再度付着させることで、匂いの強さを維持することができる。
【００８８】
なお、上記第１の実施形態及び上記第２の実施形態において、匂い付着装置は出入口が限られている空間に設置される場合が好ましく、匂い放出部１０８はその出入口に配置される場合が好ましい。例えば、匂い付着装置は、エレベータの出入口やタクシーのドア付近などに設置されてもよい。
【００８９】
なお、上記第１、第２の実施形態では、匂い放出部１０８から対象人物に向けて匂いを放出する場合について説明したが、これに限られるものではない。匂いのない流体を流体放出部から対象人物に向けて放出する場合でもよい。流体放出部から放出する流体としては、ネオンガス、キセノンガス、クリプトンガスといった無色無臭で不活性の気体やこれらの気体を混合させたものを用いてもよく、また、プロピレングリコール、シリコーンオイルといった無色無臭の液体を用いてもよい。
【００９０】
なお、上記第１、第２の実施形態では、匂い検出装置２０に含まれる複数の測定機器２２が街頭に設置され、サーバ２４が警察署などに設置される場合について説明したが、これに限られるものではない。例えば、図１５（ａ）及び図１５（ｂ）に示すように、携帯端末に匂い検出装置２０が組み込まれてもよい。なお、図１５（ａ）は、スマートフォン等の携帯端末の例を示す図であり、図１５（ｂ）は、ユーザの身体（例えば顔）に装着される眼鏡型の携帯端末（ヘッドマウントディスプレイ）の例を示す図である。
【００９１】
匂い検出装置２０がスマートフォン等の携帯端末に組み込まれる場合、図１５（ａ）に示すように、例えば表示部２１４と操作部２１６が配置される面とは反対側の面に撮像部２０２（不図示）を配置し、携帯端末の筐体の一部に匂い検出部２０４を配置すればよい。そして、制御部２１０、２１８の処理を、携帯端末の制御部が実行するようにすればよい。
【００９２】
また、匂い検出装置２０が眼鏡型の携帯端末に組み込まれる場合には、図１５（ｂ）に示すように、例えば表示部２１４を眼（右眼）の前方に配置し、撮像部２０２を表示部２１４の近傍に配置し、匂い検出部２０４をフレーム２５０の一部に設けることとすればよい。そして、制御部２１０、２１８の処理を、携帯端末の制御部が実行するようにすればよい。
【００９３】
図１６は、携帯端末の表示部２１４に表示される画像の例を示す図である。図１６に示すように、表示部２１４には、例えば撮像部２０２で撮影された撮影画像（例えばスルー画像）に、匂い検出部２０４で検出された匂いの強さから算出した対象人物の移動方向（矢印）が重畳表示される。これにより、携帯端末のユーザ（例えば警察官など）は、表示部２１４の表示に従って対象人物を追跡することが可能となる。なお、図１５（ｂ）の眼鏡型の携帯端末において、表示部２１４が実視界の大半をカバーできる大きさを有する場合には、ユーザの実視界に重畳するように対象人物の移動方向（矢印）を表示するようにしてもよい。なお、図１５（ａ）及び図１５（ｂ）では、重畳画像を携帯端末の制御部が生成することとしてもよいが、匂い検出部２０４の検出結果と撮像部２０２の撮影画像とに基づいて、外部サーバが重畳画像を生成し、携帯端末に送信するようにしてもよい。
【００９４】
なお、上記第１、第２の実施形態においては、匂い追跡システム５００によって対象人物を追跡する場合について説明したが、これに限られるものではない。例えば、電車の切符やスポーツ観戦などのチケットにおいて、自由席用と指定席用とで異なる匂いを予め付着させておき、匂い検出装置２０の記憶部２０８にはこれらの匂いを予め記憶させておいてもよい。この場合、匂い検出装置２０を備える携帯端末（例えば、車掌や係員が保有する端末）によって、チケットの匂い（チケットを保有する人にチケットから移った匂いを含む）を検知することで、不正乗車や不正入場などを発見することが可能となる。このようなことは、自由席用のチケットと指定席用のチケットに限らず、例えば大人用のチケットと子供用のチケットや、客船の特等席用のチケットと二等席用のチケットなど、その他の場合にも適用することができる。
【００９５】
また、例えば、子供に所定の匂いを発する物品（キーホルダー等）を持たせ、この所定の匂いを匂い検出装置２０の記憶部２０８に予め記憶させておくことで、子供が迷子になった場合に、匂い検出装置２０を備える携帯端末によって、子供を発見することが可能となる。なお、所定の匂いを発する物品からは、所定の匂いを発し続けるようにしてもよいが、匂い剤の消費量を抑える点から、適当な間隔で匂いを発するようにしてもよい。例えば、子供が移動している場合は短い間隔で匂いを発し、立ち止まっている場合は長い間隔で匂いを発するようにしてもよい。なお、匂いを発する物品を靴に設けることで、匂い検出装置２０を備える携帯端末による匂いの追跡を行い易くすることとしてもよい。
【００９６】
また、例えば、人間や生き物の匂いを匂い検出装置２０の記憶部２０８に予め記憶させておくこととしてもよい。この場合、地震などの災害によって人間や生き物が土砂や瓦礫に埋もれた場合に、匂い検出装置２０を用いて、埋もれた人間や生き物を発見することが可能となる。また、ネズミなどの害獣が建物内に侵入して困る場合に、害獣の建物内への侵入経路を特定することも可能となる。さらに、人間や生き物の匂いを予め記憶した記憶部２０８を備えた匂い検出装置２０を車に搭載することで、例えば、見えない場所に人間や生き物がいる場合に、運転者に危険を知らせることが可能となる。危険の報知は、表示部への表示によって行ってもよいし、スピーカーからの音声によって行ってもよい。
【００９７】
また、匂いを放出する匂い放出部を車に配置し、車が事故を起こした際に、運転者に向かって匂い放出部から所定の匂いを放出するようにしてもよい。これにより、事故を起こした運転者を特定することができるので、実況見分等において運転者以外の者（例えば助手席に座っていた者）が運転していたと名乗り出た場合（所謂、なりすまし）でも、当該なりすましを容易に見破ることが可能となる。
【００９８】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００９９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１００】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０１】
上述した各実施形態は本発明の好適な実施の例であり、適宜組み合わせることができる。但し、これに限定されるものではなく、本発明の要旨を逸脱しない範囲内において種々変形実施可能である。
【符号の説明】
【０１０２】
１０、１０Ａ  匂い付着装置
２０  匂い検出装置
２２  測定機器
２４  サーバ
５０  出入口
１０２  撮像部
１０８  匂い放出部
１１０  通信部
１１２  記憶部
１１４  制御部
１１６  匂い検出部
２０２  撮像部
２０４  匂い検出部
２０６  通信部
２０８  記憶部
２１０  制御部
２１２  通信部
２１４  表示部
２１８  制御部
【図１】
2016042217.tif 000003
【図２】
2016042217.tif 000004
【図３】
2016042217.tif 000005
【図４】
2016042217.tif 000006
【図５】
2016042217.tif 000007
【図６】
2016042217.tif 000008
【図７】
2016042217.tif 000009
【図８】
2016042217.tif 000010
【図９】
2016042217.tif 000011
【図１０】
2016042217.tif 000012
【図１１】
2016042217.tif 000013
【図１２】
2016042217.tif 000014
【図１３】
2016042217.tif 000015
【図１４】
2016042217.tif 000016
【図１５】
2016042217.tif 000017
【図１６】
2016042217.tif 000018